(57)【要約】【課題】釘調整用ハンマーによる内レールの破損を防止すること。【解決手段】遊技盤４上の遊技領域Ｐに遊技球を流下させて所定の遊技を行うパチンコ機１であって、遊技領域Ｐに配されて遊技球の流下方向を変える遊技釘と、前記遊技領域の外縁に配されて、前記遊技領域Ｐを流下した遊技球をアウト口６へ案内する内レール７と、当該内レール７に配されて遊技領域Ｐ側を覆う保護部材２０とを備えた。【選択図】　図１
2004141207.tif 000002
【特許請求の範囲】
【請求項１】
遊技盤上の遊技領域に遊技媒体を流下させて所定の遊技を行う遊技機であって、前記遊技領域内に配されて遊技媒体の流下方向を変化させる遊技釘と、前記遊技領域の外縁に配されて、前記遊技領域を流下した遊技媒体をアウト口へ案内する内レールと、当該内レールに配されて遊技領域側を覆う保護部材とを備えたことを特徴とする遊技機。
【請求項２】
前記保護部材を、前記内レールに沿ってスライド可能としたことを特徴とする請求項１に記載の遊技機。
【請求項３】
前記保護部材を、前記内レールに跨らせて配したことを特徴とする請求項１又は請求項２に記載の遊技機。
【請求項４】
前記保護部材を、前記内レールに脱着可能としたことを特徴とする請求項１乃至請求項３のいずれかに記載の遊技機。
【発明の詳細な説明】
【０００１】
【発明の属する技術分野】
本発明は、遊技者が打ち出した遊技媒体等を遊技盤上の遊技領域に流下させ、当該遊技媒体の入賞を競うなど、所定の遊技を行う遊技機に関する。
【０００２】
【従来の技術】
従来、このような遊技機としては、遊技者が打ち出した遊技球を遊技領域の上方まで案内する外レールと、前記遊技領域内に配されて遊技球の流下方向を変化させる遊技釘と、前記遊技領域の外縁に配されて、前記遊技領域を流下した遊技球をアウト口へ案内する内レールとを備えたパチンコ遊技機がある。このようなパチンコ遊技機では、通常、遊技球が所定の方向へ流下するように遊技釘をハンマーで叩いて調整する。
【０００３】
【発明が解決しようとする課題】
しかしながら、上記従来の遊技機にあっては、遊技球が所定の方向へ流下するように遊技釘をハンマーで叩いて調整するため、内レール近傍にある遊技釘を調整するときには、当該ハンマーが内レールに接触して、当該内レールを破損させる恐れがあった。
【０００４】
そこで、本発明は上記従来の遊技機の未解決の課題を解決することを目的とするものであって、釘調整時における内レールの破損を防止できる遊技機を提供することを課題とする。
【０００５】
【課題を解決するための手段】
上記課題を解決するため、請求項１に係る発明である遊技機は、遊技盤上の遊技領域に遊技媒体を流下させて所定の遊技を行う遊技機であって、前記遊技領域内に配されて遊技媒体の流下方向を変化させる遊技釘と、前記遊技領域の外縁に配されて、前記遊技領域を流下した遊技媒体をアウト口へ案内する内レールと、当該内レールに配されて遊技領域側を覆う保護部材とを備えたことを特徴とするものである。
【０００６】
また、請求項２に係る発明は、請求項１に記載された発明である遊技機において、前記保護部材を、前記内レールに沿ってスライド可能としたことを特徴とするものである。
更に、請求項３に係る発明は、請求項１又は請求項２に記載された発明である遊技機において、前記保護部材を、前記内レールに跨らせて配したことを特徴とするものである。
【０００７】
また、請求項４に係る発明は、請求項１乃至請求項３のいずれかに記載された発明である遊技機において、前記保護部材を、前記内レールに脱着可能としたことを特徴とするものである。
したがって、請求項１に係る発明である遊技機にあっては、内レールの遊技領域側を保護部材で覆うため、例えば内レール近傍にある遊技釘をハンマーで叩いて調整するときには、当該ハンマーの内レールへの接触を防止でき、当該内レールの破損を防止できる。
【０００８】
また、請求項２に係る発明である遊技機にあっては、前記保護部材を内レールに沿ってスライド可能としたため、例えば内レール近傍にある遊技釘の調整が終了したときには、前記保護部材を遊技構成部材の陰等に移動することによって、当該保護部材に遊技媒体が接触することを防止できる。
更に、請求項３に係る発明である遊技機にあっては、前記保護部材を内レールに跨らせて配したため、例えば遊技領域の前面側に開閉可能なガラス枠が配されているときには、当該ガラス枠を閉じることによって、当該ガラス枠と内レールとで保護部材を挟むことができ、当該保護部材の脱落を防止できる。
【０００９】
また、請求項４に係る発明である遊技機にあっては、前記保護部材を脱着可能としたため、例えば内レール近傍にある遊技釘の調整が終了したときには、当該保護部材を外すことによって、当該保護部材の脱落を防止できる。
【００１０】
【発明の実施の形態】
以下、本発明をパチンコ機に適用した場合の実施形態につき、図面に基づいて説明する。
図１は、本発明のパチンコ機の正面図であって、パチンコ機１の機枠２には、前面枠３が左側縁を蝶着された状態で設けられていて、その上半部には、遊技盤４が嵌め込まれている。また、この遊技盤４の表面には、遊技球を流下可能な遊技領域Ｐが形成されている。更に、この遊技領域Ｐの左方には、後述する発射装置（図示せず）から打ち出された遊技球を当該遊技領域Ｐの上方まで案内する外レール５が設けられている。また更に、当該外レール５の内側であって遊技領域Ｐの外縁には、当該遊技領域Ｐを流下した遊技球をアウト口６へ案内する内レール７が設けられている。加えて、内レール７には、当該内レール７の遊技領域Ｐ側を覆う保護部材２０が配されている。
【００１１】
また、他にも遊技領域Ｐには、遊技釘、風車、電飾を含む装飾部材等が設置されていて、その中央には、液晶ディスプレイ（ＬＣＤ）が図柄表示部Ｄを露出した状態で埋設されている。また、この図柄表示部Ｄの下方には、図柄変動口８と、チューリップ型の普通電動役物９とが一体的に設置されている。更に、それらの下方には、前開き型の大入賞口１０が設置されている。また更に、大入賞口１０の下方には、７セグメント方式により１桁の数字を表示可能な普通図柄表示部１１が設けられている。加えて、図柄表示部Ｄの両側方には、普通図柄変動ゲート１２，１２が設置されている。
【００１２】
また、遊技盤４前方には、ガラス枠１３が前面枠３に左側部を蝶着されることによって、片開き自在に設置されている。また、前面枠３の下半部には、供給皿１４と貯留皿１５とが設置されている。更に、貯留皿１５の右側には、操作ハンドル１６が突設されている。この操作ハンドル１６は、パチンコ機１内部に設けられた発射装置（図示せず）に連結されていて、回動操作の度合に応じた強度で、供給皿１４から導入した遊技球を遊技領域Ｐに打ち込むようになっている。
【００１３】
このようなパチンコ機１では、遊技者によって打ち込まれた遊技球が図柄変動口８に入賞すると、特別図柄表示部Ｄに表示された３つの特別図柄が変動を開始し、所定時間後に順に停止表示される。また、全て停止表示された際の図柄が特定の組合せ（例えば「７，７，７」）であると、電飾等が作動するともに、大入賞口１０が所定回数断続的に開成する所謂大当たり状態となる。そして、遊技球が大入賞口１０に入賞すると、他の入賞口に入賞した場合と比較してより多くの賞品球が払い出されるため、遊技者は多くの賞品球を獲得することができる。
【００１４】
図２は、保護部材２０の説明図である。保護部材２０は、衝撃吸収性に優れたゴム板で形成されていて、その一端には、先端部が若干裏面側に曲げられた係止片２１が設けられている。そして、保護部材２０は、当該係止片２１で内レール７を跨ぐように配されて、図３に示すように、ガラス枠１３が閉状態であるときにはガラス２２と内レール７とで固定され、ガラス枠１３が開状態であるときには内レール７に沿ってスライドできるように構成されている。
【００１５】
次に、図柄変動口５への入賞率が所望のものとなるように、つまり図柄変動口８の方向へ流下する遊技球の割合が所望のものとなるように内レール７近傍にある遊技釘を調整する手順を説明する。
まず、遊技盤４前方にあるガラス枠１３を開き、次に、保護部材２０を遊技釘近傍にスライドさせる。そして、図４及び図５に示すように、当該保護部材２０で内レール７の遊技領域Ｐ側を覆ってから、遊技釘をハンマーで叩き、図柄変動口８の方向へ流下する遊技球の割合が所望のもとのとなるように調整する。
【００１６】
このように本実施形態にあっては、保護部材２０で内レール７の遊技領域Ｐ側を覆うため、内レール７近傍にある遊技釘をハンマーで叩いて調整するときには、当該ハンマーの内レール７への接触が防止され、当該内レール７の破損が防止される。ちなみに、内レール７の遊技領域Ｐ側を保護部材２０で覆うことなく、内レール７近傍にある遊技釘を調整する従来の技術では、ハンマーが内レール７に接触して、当該内レール７を破損させる恐れがある。また、当該内レール７が外レール５側に突き出すように破損すると、発射装置から打ち出される遊技球に当該内レール７が接触して、当該遊技球の軌道がばらつく恐れがある。
【００１７】
また、内レール７近傍にある遊技釘の調整が終了したときには、図６に示すように、所定の遊技構成部材の陰に前記保護部材２０をスライドさせてから、前記ガラス枠１３を閉じる。
このように本実施形態にあっては、保護部材２０を内レール７に沿ってスライドできるようにしたため、前記保護部材２０を所定の遊技構成部材の陰にスライドすることによって、当該保護部材２０に遊技球が接触することが防止される。
【００１８】
また、保護部材２０を内レール７に跨らせて配したため、ガラス枠１３を閉じることによって、当該ガラス枠１３と内レール７とで保護部材２０が挟まれ、当該保護部材２０の脱落が防止される。また、ゴム板を保護部材２０としたため、当該保護部材２０を容易に形成することができる。
なお、上記実施の形態は本発明の遊技機の一例を示したものであり、遊技機の構成等を限定するものではない。
【００１９】
例えば上記実施の形態にあっては、内レール７近傍にある遊技釘の調整が終了したときには、所定の遊技構成部材の陰に前記保護部材２０をスライドさせてから、前記ガラス枠１３を閉じる例を示したが、これに限られるものではなく、例えば保護部材２０を脱着可能として、内レール近傍にある遊技釘の調整を終えたときには当該保護部材２０を外すようにしてもよく、そのようにすれば、当該保護部材２０の脱落を確実に防止できる。
【００２０】
【発明の効果】
以上、説明したように本発明の遊技機にあっては、内レールの遊技領域側を保護部材で覆うため、内レール近傍にある遊技釘を調整するときには、釘調整用ハンマーの内レールへの接触を防止でき、当該内レールの破損を防止できる。
【図面の簡単な説明】
【図１】本発明の遊技機の一実施形態を示す概略構成図である。
【図２】図１のガラス枠が開状態であるときの保護部材を拡大して示す要部拡大図である。
【図３】図１のガラス枠が閉状態であるときの保護部材を拡大して示す要部拡大図である。
【図４】釘調整時の保護部材の配置を説明するための正面図である。
【図５】図４の保護部材をＡ−Ａ線方向から見た要部拡大図である。
【図６】釘調整終了時の保護部材の配置を説明するための正面図である。
【符号の説明】
１　　　　パチンコ機
５　　　　外レール
７　　　　内レール
１３　　ガラス枠
２０　　保護部材
２１　　係止片
【図１】
2004141207.tif 000003
【図２】
2004141207.tif 000004
【図３】
2004141207.tif 000005
【図４】
2004141207.tif 000006
【図５】
2004141207.tif 000007
【図６】
2004141207.tif 000008